(57)【要約】【課題】信号光波形の再生の前後で信号光の周波数が同一である光モジュール、等を提供する。【解決手段】光モジュール１００は、光結合部１１０と光ファイバ１２０とを備える。光結合部１１０は、第１ポート１１１に入力した波長λ１の信号光と、第２ポート１１２に入力した波長λ２（＝λ１／３）の励起光とを合波して、その合波した信号光および励起光を第３ポート１１３より出力する。光ファイバ１２０は、光結合部１１０の第３ポート１１３より出力された信号光および励起光を端面より入力して導波させ、波長λ１においてモード位相屈折率ｎ１の導波モードを有し、波長λ２においてモード位相屈折率ｎ２の導波モードを有し、「ｎ１＝ｎ２」なる関係式を実質的に満たす。【選択図】  図１
2004184524.tif 000002
【特許請求の範囲】
【請求項１】
第１ポート，第２ポートおよび第３ポートを有し、前記第１ポートに入力した波長λ１の信号光と、前記第２ポートに入力した波長λ２（＝λ１／３）の励起光とを合波して、その合波した信号光および励起光を前記第３ポートより出力する光結合部と、
前記光結合部の前記第３ポートより出力された信号光および励起光を端面より入力して導波させ、波長λ１においてモード位相屈折率ｎ１の導波モードを有し、波長λ２においてモード位相屈折率ｎ２の導波モードを有し、「ｎ１＝ｎ２」なる関係式を実質的に満たす光ファイバと
を備えることを特徴とする光モジュール。
【請求項２】
波長λ２における前記光ファイバのモード位相屈折率ｎ２の導波モードが高次モードであることを特徴とする請求項１記載の光モジュール。
【請求項３】
前記光ファイバが、ファイバ軸に沿って延びるコア領域と、このコア領域を取り囲みファイバ軸に沿って延びるクラッド領域とを有し、
前記クラッド領域が、主媒質中に、この主媒質と異なる屈折率を有する副媒質からなる複数の領域を有する
ことを特徴とする請求項２記載の光モジュール。
【請求項４】
前記主媒質が純シリカガラスであることを特徴とする請求項３記載の光モジュール。
【請求項５】
前記主媒質がＧｅ，Ｆ，Ｃｌ，Ｐ，Ｎ，Ｂ，Ａｌ，Ｔｉ，Ｅｒ，Ｙｂ，Ｎｄ，ＰｒおよびＢｉのうち何れかの元素を含むシリカガラスであることを特徴とする請求項３記載の光モジュール。
【請求項６】
前記主媒質の非線形屈折率が１×１０−１９ｍ２／Ｗ以上であることを特徴とする請求項３記載の光モジュール。
【請求項７】
前記副媒質が真空または気体であることを特徴とする請求項３記載の光モジュール。
【請求項８】
波長λ２の基底モード光を入力して、この基底モード光をモード変換して高次モード光とし、この高次モード光を出力するモード変換部を備え、
このモード変換部より出力された高次モード光を前記励起光として前記光ファイバに入力して導波させる
ことを特徴とする請求項２記載の光モジュール。
【請求項９】
波長λ２の高次モード光を出力する光源を備え、
この光源より出力された高次モード光を前記励起光として前記光結合部の前記第２ポートに入力する
ことを特徴とする請求項２記載の光モジュール。
【請求項１０】
ファイバ軸に沿って延びるコア領域と、このコア領域を取り囲みファイバ軸に沿って延びるクラッド領域とを有し、
前記クラッド領域が、主媒質中に、この主媒質と異なる屈折率を有する副媒質からなる複数の領域を有し、
波長λ１においてモード位相屈折率ｎ１の導波モードを有し、波長λ２（＝λ１／３）においてモード位相屈折率ｎ２の導波モードを有し、「ｎ１＝ｎ２」なる関係式を実質的に満たす
ことを特徴とする光ファイバ。
【請求項１１】
波長λ１の信号光を伝送する光伝送システムであって、その信号光の伝送経路上に請求項１記載の光モジュールを含むことを特徴とする光伝送システム。
【発明の詳細な説明】
【０００１】
【発明の属する技術分野】
本発明は、信号光を伝送する光伝送システム、この光伝送システムにおいて用いられる光モジュール、および、この光モジュールに含まれる光ファイバに関するものである。
【０００２】
【従来の技術】
光伝送システムは、光伝送路により信号光を伝送することにより、大容量の情報を高速に送受信することができる。しかし、信号光が伝送される間に、その信号光は次第に波形が歪みＳＮ比が劣化していく。そこで、劣化した信号光波形を再生する光モジュールが求められている。
【０００３】
例えば、非特許文献１に記載された光モジュールは、非線形光学媒体および光フィルタを備えて構成されている。この光モジュールでは、再生されるべき信号光の中心周波数をω０としたとき、光フィルタの透過帯域は、上記中心周波数ω０とは僅かに異なる周波数ωｆを含むが、上記中心周波数ω０を含まないものとされている。また、再生されるべき信号光は、周波数ωｆにおいてスペクトル成分を有さないか、有したとしてもその大きさは小さい。再生されるべき信号光（中心周波数ω０）は、先ず非線形光学媒体に入射して、この非線形光学媒体における自己位相変調に因りスペクトル幅が広げられる。そして、非線形光学媒体から出力された光は光フィルタに入射して、そのうち周波数ωｆの成分のみが光フィルタを透過して出力される。
【０００４】
このとき、非線形光学媒体より出力される光のスペクトル幅は、入射光パワーが高いほど広い。したがって、再生されるべき信号光のパワーが大きいときには、非線形光学媒体より出力される光は、スペクトル幅が広く、周波数ωｆ成分を含むから、光フィルタより周波数ωｆの光が出力される。一方、再生されるべき信号光のパワーが小さいときには、非線形光学媒体より出力される光は、スペクトル幅が狭く、周波数ωｆ成分を含まない（または小さい）から、光フィルタより出力される周波数ωｆの光は無い（または小さい）。このようにして、信号光の波形が再生されて、信号光のＳＮ比が改善される。
【０００５】
【非特許文献１】
Ｐ．  Ｖ．  Ｍａｍｙｓｈｅｖ，  ｅｔ  ａｌ．，  ”Ａｌｌ−Ｏｐｔｉｃａｌ  Ｄａｔａ  Ｒｅｇｅｎｅｒａｔｉｏｎ  Ｂａｓｅｄ  ｏｎ  Ｓｅｌｆ−Ｐｈａｓｅ  Ｍｏｄｕｌａｔｉｏｎ  Ｅｆｆｅｃｔ”，  ＥＣＯＣ’９８，  ｐｐ．４７５−４７６  （１９９８）
【０００６】
【発明が解決しようとする課題】
しかしながら、上記の光モジュールでは、再生前の信号光の周波数がω０であるのに対して、再生後の信号光の周波数がωｆであり、信号光波形の再生の前後で信号光の周波数が異なるものとなっている。このような再生に伴う信号光の周波数の変化は、周波数変換を伴わない既存の光伝送システムへの上記モジュールの導入を困難にする。また、新規の光システムにおいても、上記モジュールが伴う周波数変換は、システムの複雑さを増大させ、システムの構築および管理に伴うコストを上昇させる。
【０００７】
本発明は、上記問題点を解消する為になされたものであり、信号光波形の再生の前後で信号光の周波数が同一である光モジュール、このような光モジュールにおいて好適に用いられる光ファイバ、および、このような光モジュールを含み高品質の信号光伝送が可能な光伝送システムを提供することを目的とする。
【０００８】
【課題を解決するための手段】
本発明に係る光モジュールは、（１）  第１ポート，第２ポートおよび第３ポートを有し、第１ポートに入力した波長λ１の信号光と、第２ポートに入力した波長λ２（＝λ１／３）の励起光とを合波して、その合波した信号光および励起光を第３ポートより出力する光結合部と、（２）  光結合部の第３ポートより出力された信号光および励起光を端面より入力して導波させ、波長λ１においてモード位相屈折率ｎ１の導波モードを有し、波長λ２においてモード位相屈折率ｎ２の導波モードを有し、「ｎ１＝ｎ２」なる関係式を実質的に満たす光ファイバとを備えることを特徴とする。本発明によれば、信号光入力パワーが大きいほど、光ファイバにおける信号光のゲインが大きい。このことから、信号光のＳＮ比を改善することができる。また、その際に、信号光の波長は変化しない。
【０００９】
本発明に係る光モジュールは、波長λ２における光ファイバのモード位相屈折率ｎ２の導波モードが高次モードであるのが好適である。この場合には、波長λ１におけるモード位相屈折率ｎ１と波長λ２におけるモード位相屈折率ｎ２とを互いに実質的に等しくすることが容易にできる。
【００１０】
本発明に係る光モジュールは、（１）  光ファイバが、ファイバ軸に沿って延びるコア領域と、このコア領域を取り囲みファイバ軸に沿って延びるクラッド領域とを有し、（２）  クラッド領域が、主媒質中に、この主媒質と異なる屈折率を有する副媒質からなる複数の領域を有するのが好適である。この場合には、基底モードと高次モードとの間のモード位相屈折率差を大きくすることができ、意図しない外乱や意図しない構造の長手方向変動に因るモード結合を抑制することができる。
【００１１】
上記の光ファイバにおいて、主媒質が純シリカガラスであるのが好適である。主媒質がＧｅ，Ｆ，Ｃｌ，Ｐ，Ｎ，Ｂ，Ａｌ，Ｔｉ，Ｅｒ，Ｙｂ，Ｎｄ，ＰｒおよびＢｉのうち何れかの元素を含むシリカガラスであるのが好適である。主媒質の非線形屈折率が１×１０−１９ｍ２／Ｗ以上であるのが好適である。また、副媒質が真空または気体であるのが好適である。これらの場合には、伝送損失が小さく、或いは、非線形性が高いので、信号光または励起光の必要なパワーを下げることができる。
【００１２】
本発明に係る光モジュールは、（１）  波長λ２の基底モード光を入力して、この基底モード光をモード変換して高次モード光とし、この高次モード光を出力するモード変換部を備え、（２）  このモード変換部より出力された高次モード光を励起光として光ファイバに入力して導波させるのが好適である。この場合には、波長λ２の励起光は、モード変換部により基底モードから高次モードに変換されて、光ファイバに入力される。基底モード光を出力する光源の利用が可能となり、また、モード位相整合の実現が容易となる。
【００１３】
本発明に係る光モジュールは、（１）  波長λ２の高次モード光を出力する光源を備え、（２）  この光源より出力された高次モード光を励起光として光結合部の第２ポートに入力するのが好適である。この場合には、光源から出力された波長λ２の高次モード光が励起光として光結合部を経て光ファイバに入力されるので、モード位相整合の実現が容易となる。
【００１４】
本発明に係る光ファイバは、（１）  ファイバ軸に沿って延びるコア領域と、このコア領域を取り囲みファイバ軸に沿って延びるクラッド領域とを有し、（２）  クラッド領域が、主媒質中に、この主媒質と異なる屈折率を有する副媒質からなる複数の領域を有し、（３）  波長λ１においてモード位相屈折率ｎ１の導波モードを有し、波長λ２（＝λ１／３）においてモード位相屈折率ｎ２の導波モードを有し、「ｎ１＝ｎ２」なる関係式を実質的に満たすことを特徴とする。この光ファイバは、上記の本発明に係る光モジュールにおいて好適に用いられる。
【００１５】
本発明に係る光伝送システムは、波長λ１の信号光を伝送する光伝送システムであって、その信号光の伝送経路上に上記の本発明に係る光モジュールを含むことを特徴とする。この光伝送システムでは、光モジュールにより信号光のＳＮ比が改善されるので、高品質の信号光伝送が可能であり、伝送容量や伝送距離の拡大が可能である。
【００１６】
【発明の実施の形態】
以下、添付図面を参照して本発明の実施の形態を詳細に説明する。なお、図面の説明において同一の要素には同一の符号を付し、重複する説明を省略する。
【００１７】
先ず、本発明に係る光モジュールの第１実施形態について説明する。図１は、第１実施形態に係る光モジュール１００の構成図である。この図に示される光モジュール１００は、光入力端１０１と光出力端１０２との間に直列に光結合部１１０および光ファイバ１２０を備えている。また、この光モジュール１００は、光結合部１１０に接続された光源１３０をも備えている。
【００１８】
光結合部１１０は、第１ポート１１１，第２ポート１１２および第３ポート１１３を有している。光結合部１１０の第１ポート１１１は、波長λ１の信号光を入力する光モジュール１００の光入力端１０１と接続されている。光結合部１１０の第２ポート１１２は、波長λ２の励起光を出力する光源１３０と接続されている。また、光結合部１１０の第３ポート１１３は、光ファイバ１２０の一端と接続されている。そして、光結合部１１０は、第１ポート１１１に入力した波長λ１の信号光と、第２ポート１１２に入力した波長λ２の励起光とを合波して、その合波した信号光および励起光を第３ポート１１３より出力する。
【００１９】
光ファイバ１２０は、一端が光結合部１１０の第３ポート１１３と接続され、他端が光モジュール１００の光出力端１０２と接続されている。光ファイバ１２０は、光結合部１１０の第３ポート１１３より出力された信号光および励起光を一端より入力して導波させる。また、光ファイバ１２０は、波長λ１においてモード位相屈折率ｎ１の導波モードを有し、波長λ２においてモード位相屈折率ｎ２の導波モードを有している。
【００２０】
光源１３０は、波長λ２の励起光を出力し、その出力した励起光を光結合部１１０の第２ポート１１２に入力させる。
【００２１】
ここで、信号光波長λ１と励起光波長λ２との間には、
【００２２】
【数１】
2004184524.tif 000003
なる関係がある。また、波長λ１におけるモード位相屈折率ｎ１と波長λ２におけるモード位相屈折率ｎ２とは、
【００２３】
【数２】
2004184524.tif 000004
なる関係式を実質的に満たす。
【００２４】
図２は、第１実施形態に係る光モジュール１００に含まれる光ファイバ１２０の断面図である。この図は、ファイバ軸に垂直な面で切断したときの光ファイバ１２０の断面を示す。光ファイバ１２０は、ファイバ軸に沿って延びるコア領域１２１と、このコア領域１２１を取り囲みファイバ軸に沿って延びるクラッド領域１２２とを有している。そして、コア領域１２１は主媒質のみからなる。また、クラッド領域１２２は、主媒質中に、この主媒質と異なる屈折率を有する副媒質からなる複数の領域１２３を有している。これら副媒質からなる複数の領域１２３は、クラッド領域１２２において配列されている。
【００２５】
主媒質は純シリカガラスであるのが好適である。また、主媒質は、Ｇｅ，Ｆ，Ｃｌ，Ｐ，Ｎ，Ｂ，Ａｌ，Ｔｉ，Ｅｒ，Ｙｂ，Ｎｄ，ＰｒおよびＢｉのうち何れかの元素を含むシリカガラスであるのも好適である。そして、主媒質の非線形屈折率は１×１０−１９ｍ２／Ｗ以上であるのが好適である。一方、副媒質は真空または気体であるのが好適である。コア領域１２１の平均屈折率はクラッド領域１２２の平均屈折率より高いので、この光ファイバ１２０は、全反射による導波モードを有することができる。
【００２６】
図３は、第１実施形態に係る光モジュール１００に含まれる光ファイバ１２０のコア半径とモード位相屈折率との関係を示すグラフである。光ファイバ１２０の導波モードのモード位相屈折率ｎｐは、
【００２７】
【数３】
2004184524.tif 000005
なる式で定義される。
【００２８】
ここで、ｃは真空中の光速であり、ｖｐは導波モード光の位相速度である。信号光波長λ１を１５４５ｎｍとし、励起光波長λ２を５１５ｎｍとして、モード位相屈折率ｎｐが計算された。また、平均屈折率を有する均一媒質でクラッド領域１２２を置き換える近似を用いた。断面におけるクラッド領域１２２に対する複数の領域１２３の面積占有率を５０％とした。
【００２９】
図３に示されるように、コア領域１２１の半径が０．４０μｍ〜０．５５μｍであれば、信号光波長λ１の基底モードのモード位相屈折率ｎ１と、励起光波長λ２の何れかの高次モードのモード位相屈折率ｎ２とは、互いに等しくなり得る。例えば、コア半径が０．４３μｍであれば、信号光の基底モードと励起光の２次の高次モードとは、モード位相屈折率が互いに等しくなる。したがって、図１中の光源１３０として、高次モードの励起光を出力し得るものが用いられるのが好適であり、例えば面発光レーザ光源が用いられるのが好適である。
【００３０】
次に、第１実施形態に係る光モジュール１００の動作について説明する。光源１３０から出力された波長λ２の励起光は、光結合部１１０の第２ポート１１２に入力して第３ポート１１３より出力され、光ファイバ１２０を高次モードとして導波する。一方、光入力端１０１に入力した波長λ１の信号光は、光結合部１１０の第１ポート１１１に入力して第３ポート１１３より出力され、光ファイバ１２０を基底モードとして導波する。
【００３１】
光ファイバ１２０において、信号光の電界の複素振幅をＥ１とし、励起光の電界の複素振幅をＥ２とすると、信号光および励起光の光伝搬は、
【００３２】
【数４】
2004184524.tif 000006
なる式で表される。ここで、ｚは光ファイバ１２０の長手方向に沿った位置を表す変数である。ｉは虚数単位である。ｎ（２）は光ファイバ１２０の非線形屈折率である。ｋ１は信号光の波数であり、ｋ２は励起光の波数である。また、＊は複素共役を表す。なお、上記（４）式において、自己位相変調、相互位相変調および伝送損失は無視されている。
【００３３】
励起光の電界Ｅ２と比べて信号光の電界Ｅ１が無視し得るほど小さく、また、励起光の電界Ｅ２の変化が無視し得るほどであるとする。このとき、上記（４）式より、
【００３４】
【数５】
2004184524.tif 000007
なる式が得られる。ここで、Ｐ１は信号光パワーであり、Ｐ２は励起光パワーである。Ａ１は信号光波長λ１での光ファイバ１２０の実効コア断面積であり、Ａ２は励起光波長λ２での光ファイバ１２０の実効コア断面積である。
【００３５】
図４は、第１実施形態に係る光モジュール１００における光ファイバ１２０の長さとゲインとの関係を示すグラフである。ここでは、典型値として、ｎ（２）＝３×１０−２０［ｍ２／Ｗ］、λ１＝１５４５［ｎｍ］、λ２＝５１５［ｎｍ］、Ａ＝２［μｍ２］  とした。このとき、ａ２＝５．６×１０−９［１／（ｍＷ２・ｍ２）］  となる。また、励起光パワーＰ２を５６［ｍＷ］とし、信号光入力パワーを１０．０［ｍＷ］，１．０［ｍＷ］および０．１［ｍＷ］それぞれとして、ファイバ長と信号光のゲインとの関係を計算した。
【００３６】
図４に示されるように、信号光入力パワーが大きいほど、光ファイバ１２０における信号光のゲインも大きい。このことから、光モジュール１００の光入力端１０１に入力した光のうち、パワーが比較的大きい信号光パルスは光ファイバ１２０において大きく増幅される一方、パワーが比較的小さい雑音光は増幅されない。したがって、光モジュール１００の光出力端１０２より出力される信号光は、波形が再生されてＳＮ比が改善されたものとなる。また、この光モジュール１００では、信号光波形の再生の前後で信号光の周波数が同一であり、光入力端１０１への入力時と同一の光周波数で光出力端１０２から信号光が出力される。
【００３７】
なお、図４の計算の際には、光ファイバ１２０の非線形屈折率ｎ（２）を３×１０−２０［ｍ２／Ｗ］としたが、光ファイバ１２０が多成分系ガラスやＢｉ２Ｏ３添加シリカガラスからなる場合には、光ファイバ１２０の非線形屈折率ｎ（２）を１×１０−１９［ｍ２／Ｗ］以上とすることができる。この場合には、光モジュール１００は、より短尺の光ファイバ１２０で、同等のＳＮ比改善効果を奏することができる。
【００３８】
次に、本発明に係る光モジュールの第２実施形態について説明する。図５は、第２実施形態に係る光モジュール２００の構成図である。この図に示される光モジュール２００は、光入力端２０１と光出力端２０２との間に直列に光結合部２１０および光ファイバ２２０を備えている。また、この光モジュール２００は、光結合部２１０に接続されたモード変換部２４０および光源２３０をも備えている。
【００３９】
本実施形態における光結合部２１０および光ファイバ２２０は、第１実施形態における光結合部１１０および光ファイバ１２０と同様のものである。本実施形態における光源２３０は、波長λ２の励起光を基底モードとして出力するものであり、例えば半導体レーザ光源が好適に用いられる。モード変換部２４０は、光源２３０から出力された波長λ２の基底モード光を入力して、この基底モード光をモード変換して高次モード光とし、この高次モード光を出力する。光結合部２１０は、このモード変換部２４０より出力された高次モード光を、第２ポート２１２に入力して、第３ポート２１３より光ファイバ２２０へ出力する。そして、光ファイバ２２０は、この光結合部２１０の第３ポート２１３より出力された波長λ２の高次モード光を導波させる。
【００４０】
本実施形態においても、信号光波長λ１と励起光波長λ２との間には、上記（１）式の関係がある。また、波長λ１におけるモード位相屈折率ｎ１と波長λ２におけるモード位相屈折率ｎ２とは、上記（２）式の関係式を実質的に満たす。
【００４１】
次に、第２実施形態に係る光モジュール２００の動作について説明する。光源２３０から出力された波長λ２の励起光は、モード変換部２４０により基底モードから高次モードに変換された後、光結合部２１０の第２ポート２１２に入力して第３ポート２１３より出力され、光ファイバ２２０を高次モードとして導波する。一方、光入力端２０１に入力した波長λ１の信号光は、光結合部２１０の第１ポート２１１に入力して第３ポート２１３より出力され、光ファイバ２２０を基底モードとして導波する。
【００４２】
第２実施形態でも光ファイバ２２０における動作は、第１実施形態の場合と同様である。すなわち、信号光入力パワーが大きいほど、光ファイバ２２０における信号光のゲインも大きい。このことから、光モジュール２００の光入力端２０１に入力した光のうち、パワーが比較的大きい信号光パルスは光ファイバ２２０において大きく増幅される一方、パワーが比較的小さい雑音光は増幅されない。したがって、光モジュール２００の光出力端２０２より出力される信号光は、波形が再生されてＳＮ比が改善されたものとなる。また、この光モジュール２００では、信号光波形の再生の前後で信号光の周波数が同一であり、光入力端２０１への入力時と同一の光周波数で光出力端２０２から信号光が出力される。
【００４３】
次に、本発明に係る光伝送システムの実施形態について説明する。図６は、本実施形態に係る光伝送システム１の構成図である。この図に示される光伝送システム１は、光送信器１０から光受信器２０へ向かう信号光伝送経路上に順に、光ファイバ伝送路６１、分散補償器３１、光増幅器４０、光モジュール５０、光ファイバ伝送路６２および分散補償器３２を備えている。
【００４４】
光送信器１０は、波長λ１の信号光を光ファイバ伝送路６１へ送出する。分散補償器３１は、光送信器１０より光ファイバ伝送路６１を経て到達した信号光を入力し、分散補償して信号光を出力する。光増幅器４０は、分散補償器３１より出力された信号光を入力して光増幅し、この光増幅した信号光を出力する。光モジュール５０は、上記の本実施形態に係る光モジュール１００または光モジュール２００と同一構成のものであって、光増幅器４０より出力された信号光を入力してＳＮ比を改善し、このＳＮ比を改善した信号光を光ファイバ伝送路２へ送出する。分散補償器３２は、光モジュール５０より光ファイバ伝送路６２を経て到達した信号光を入力し、分散補償して信号光を出力する。光受信器２０は、分散補償器３２より出力された信号光を入力して受信する。
【００４５】
本実施形態に係る光伝送システム１は以下のように動作する。光送信器１０より送出された信号光は、光ファイバ伝送路６１により伝送されて分散補償器３１に到達し、この分散補償器３１により分散補償され、その後に光増幅器４０により光増幅される。光増幅器４０により光増幅されて出力された信号光は、光増幅器４０において発生した自然放出光や、光ファイバ伝送路６１または分散補償器３１における非線形光学現象に因り発生した雑音光を伴う。しかし、光増幅器４０から出力された光が光モジュール５０に入力されることにより、低パワーの自然放出光や雑音光が除去されて、信号光波形が再生され、信号光のＳＮ比が改善される。そして、光モジュール５０から出力された信号光は、光ファイバ伝送路６２により伝送されて分散補償器３２に到達し、この分散補償器３２により分散補償され、その後に光受信器２０により受信される。
【００４６】
本実施形態に係る光伝送システム１では、光モジュール５０により信号光のＳＮ比が改善されるので、高品質の信号光伝送が可能であり、伝送容量や伝送距離の拡大が可能である。また、光モジュール５０により信号光波長が変化することがないので、ＤＷＤＭ光伝送を好適に行なうことができる。
【００４７】
本発明は、上記実施形態に限定されるものではなく、種々の変形が可能である。例えば、モード変換部の設置位置は、光結合器２１０と光ファイバ２２０との間であってもよい。また、光結合器２１０または光ファイバ２２０の一部がモード結合部とされていてもよい。
【００４８】
【発明の効果】
以上、詳細に説明したとおり、本発明によれば、信号光入力パワーが大きいほど、光ファイバにおける信号光のゲインが大きいので、信号光のＳＮ比を改善することができる。また、その際に、信号光の波長は変化しない。
【図面の簡単な説明】
【図１】第１実施形態に係る光モジュール１００の構成図である。
【図２】第１実施形態に係る光モジュール１００に含まれる光ファイバ１２０の断面図である。
【図３】第１実施形態に係る光モジュール１００に含まれる光ファイバ１２０のコア半径とモード位相屈折率との関係を示すグラフである。
【図４】第１実施形態に係る光モジュール１００における光ファイバ１２０の長さとゲインとの関係を示すグラフである。
【図５】第２実施形態に係る光モジュール２００の構成図である。
【図６】本実施形態に係る光伝送システム１の構成図である。
【符号の説明】
１…光伝送システム、１０…光送信器、２０…光受信器、３１，３２…分散補償器、４０…光増幅器、５０…光モジュール、６１，６２…光ファイバ伝送路、１００…光モジュール、１１０…光結合部、１２０…光ファイバ、１３０…光源、２００…光モジュール、２１０…光結合部、２２０…光ファイバ、２３０…光源、２４０…モード変換部。
【図１】
2004184524.tif 000008
【図２】
2004184524.tif 000009
【図３】
2004184524.tif 000010
【図４】
2004184524.tif 000011
【図５】
2004184524.tif 000012
【図６】
2004184524.tif 000013